(57)【要約】【課題】ケース付きカード処理装置であったとしても、利便性の低下を防ぎつつ、そのケース内に水が溜まってしまうのを防ぐことができ、ひいては故障率を下げることが可能なカード処理装置を提供する。【解決手段】フロントベゼル１０と、フロントベゼル１０に設けられたカード挿入口１２と、カード挿入口１２から連続するカード通路２１と、カード挿入口１２とカード通路２１との間に設けられ、カード通路２１を開閉するシャッタ２２と、フロントベゼル１０に密着して、カード通路２１を内部に収容するケース体２０と、ケース体２０の奥側から、フロントベゼル１０に向かってカード通路２１から離れるように傾斜し、カード挿入口１２から侵入した液体を導く傾斜部（底面２０ｃ）と、フロントベゼル１０の前面に、ケース体２０側に連通して液体を排出する排液孔３０と、を有する。【選択図】図１
2008186085.tif 000002
【特許請求の範囲】
【請求項１】
フロントベゼルと、
前記フロントベゼルに設けられたカード挿入口と、
前記カード挿入口から連続するカード通路と、
前記カード挿入口と前記カード通路との間に設けられ、前記カード通路を開閉するシャッタと、
前記フロントベゼルに密着して、前記カード通路を内部に収容するケース体と、
前記ケース体の奥側から、前記フロントベゼルに向かって前記カード通路から離れるように傾斜し、前記カード挿入口から侵入した液体を導く傾斜部と、
前記フロントベゼルの前面に、前記ケース体側に連通して前記液体を排出する排液孔と、を有することを特徴とするカード処理装置。
【請求項２】
前記カード通路の奥側に、前記カードに記録された情報の読み取り及び書き込みを行うカード処理部を備えることを特徴とする請求項１記載のカード処理装置。
【請求項３】
前記カード通路は、前記カード挿入口からカードが水平に挿入されるように設けられており、
前記カード処理装置を制御する制御基板は、前記カード通路よりも上方に配設されていることを特徴とする請求項１又は２記載のカード処理装置。
【請求項４】
前記排液孔の装置奥側には、前記排液孔からの異物の進入を防ぐ侵入防止部材が設けられていることを特徴とする請求項１から３のいずれか記載のカード処理装置。
【発明の詳細な説明】
【技術分野】
【０００１】
本発明は、例えば磁気カードなどのカードを取り込んで、そのカードに対して情報の読み取り及び書き込みを行うカード処理装置に関する。
【背景技術】
【０００２】
一般に、例えば金融機関や自動販売機などにおいて、キャッシュレスや個人認証などを実現するためのカードとして、磁気カードやＩＣカードなどが用いられている。磁気カードは、プラスチック基板表面に磁気ストライプが形成されたカードであり、ＩＣカードは、プラスチック基板内部にＩＣチップが埋設されたカードであり、これらに対する情報の読み取り及び書き込みは、磁気ヘッドやＩＣ接点を備えたカード処理装置（カードリーダ）によって行われる。なお、カード処理装置は、通常時においては、例えば自動販売機などの上位装置（のパネル）に取り付けられている。
【０００３】
ここで、セキュリティ対応（ＰＣＩ−ＰＥＤ規格準拠）のカードリーダの要件として、カードリーダ全体をタンパーケースで覆わなければならない、という要件がある。外部からの不正アクセス防止のためである。その他、防塵や防水などの耐環境の観点からも、カードリーダをタンパーケースで覆いたい、というニーズがある。例えば特許文献１で開示されたカードリーダであれば、回路基板（特許文献１中のan electronic circuit unit ７）などの各要素を覆い隠すように、ダンパーケースを取り付けることになる。
【０００４】
【特許文献１】米国特許第５６９８８３２号明細書
【発明の開示】
【発明が解決しようとする課題】
【０００５】
しかしながら、カードリーダを屋外環境で使用（例えば自動販売機に設置）する場合には、カード挿入口から多少の雨水等が入ってきても機器の故障を避けなければならないところ、上述したケース（ダンパーケース）付きカードリーダでは、これを避けられない虞がある。また、機器の故障は避けられたとしても、利便性が低下する虞がある。
【０００６】
例えば、カード挿入口周辺をカバー（フード等）して雨水の侵入を防いでもよいが、カバー部材が必要となり、製造コスト高に繋がるだけでなく、カード操作時にカバー部材を開け閉めしなければならない等カード操作性が悪化するため、利便性が低下してしまう。また、カバー部材を用いるとしても、一旦、カード挿入口から雨水等が浸入してしまった場合には、ケース内に水が溜まってしまい、機器の故障の原因に繋がる虞がある。
【０００７】
本発明は、以上の点に鑑みてなされたものであり、その目的は、ケース付きカード処理装置であったとしても、利便性の低下を防ぎつつ、そのケース内に水が溜まってしまうのを防ぐことができ、ひいては故障率を下げることが可能なカード処理装置を提供することにある。
【課題を解決するための手段】
【０００８】
以上のような課題を解決するために、本発明は、以下のものを提供する。
【０００９】
（１）  フロントベゼルと、前記フロントベゼルに設けられたカード挿入口と、前記カード挿入口から連続するカード通路と、前記カード挿入口と前記カード通路との間に設けられ、前記カード通路を開閉するシャッタと、前記フロントベゼルに密着して、前記カード通路を内部に収容するケース体と、前記ケース体の奥側から、前記フロントベゼルに向かって前記カード通路から離れるように傾斜し、前記カード挿入口から侵入した液体を導く傾斜部と、前記フロントベゼルの前面に、前記ケース体側に連通して前記液体を排出する排液孔と、を有することを特徴とするカード処理装置。
【００１０】
本発明によれば、カード処理装置に、フロントベゼルと、カード挿入口と、このカード挿入口とカード通路との間に設けられたシャッタと、カード通路を内部に収容するケース体と、このケース体の奥側からフロントベゼルに向かってカード通路から離れるように傾斜し、カード挿入口から侵入した液体を導く傾斜部と、フロントベゼルの前面に、ケース体側に連通して液体を排出する排液孔と、を設けることとしたので、利便性低下を防ぎつつ、故障率を下げることができる。
【００１１】
すなわち、たとえカード挿入口からケース内に水が入ってきても、傾斜部及び排液孔を通じて、その水を外部に排出することができるので、ケース内に水が溜まることに起因した故障率を下げることができる。また、雨水等がケース内に入った後、事後的に、それを排出することができるので、カード挿入口周辺に、開け閉めが必要なカバー部材を設ける必要がなく、カード操作性が悪化する等の利便性低下を防ぐことができる。
【００１２】
さらに、傾斜部は、ケース体の奥側からフロントベゼルに向かってカード通路から離れるように傾斜しているので、カード処理装置全体を斜め下前方に傾ける必要がない（斜め下前方に傾けた場合、カード挿入口にカードを入れ難くなり、カード操作性が悪化する）。これにより、カード操作性が悪化する等の利便性低下を防ぐことができる。
【００１３】
（２）  前記カード通路の奥側に、前記カードに記録された情報の読み取り及び書き込みを行うカード処理部を備えることを特徴とするカード処理装置。
【００１４】
本発明によれば、カード通路の奥側に、カードに記録された情報の読み取り及び書き込みを行うカード処理部（例えばＩＣ接点等）を設けることとしたので、機器の故障を効果的に防止することができる。
【００１５】
すなわち、本発明では、傾斜部及び排液孔だけでなく、カード挿入口とカード通路との間に設けられたシャッタも、その構成要素となっている。そのため、雨水等がケース内に入るとはいえ、シャッタが閉まっている際は、それがカード通路の奥側まで浸入する可能性は低い。これにより、カード通路にカード処理部を配置することで、機器の故障（例えばカード通路に突出しているＩＣ接点のショートによる故障など）をより確実に防ぐことができる。
【００１６】
（３）  前記カード通路は、前記カード挿入口からカードが水平に挿入されるように設けられており、前記カード処理装置を制御する制御基板は、前記カード通路よりも上方に配設されていることを特徴とするカード処理装置。
【００１７】
本発明によれば、カード通路は、カード挿入口からカードが水平に挿入されるように設けられているとともに、カード処理装置を制御する制御基板は、カード通路よりも上方に配設されていることとしたので、仮に、シャッタを通過して、カード通路にも水が浸入した場合（例えば濡れたカードが挿入された場合など）であっても、その水は傾斜部に落ちることから、制御基板が濡れる可能性は低く、機器の故障をより確実に防ぐことができる。
【００１８】
（４）  前記排液孔の装置奥側には、前記排液孔からの異物の進入を防ぐ侵入防止部材が設けられていることを特徴とするカード処理装置。
【００１９】
本発明によれば、排液孔の装置奥側には、排液孔からの異物の進入を防ぐ侵入防止部材（例えば金属板など）が設けられていることとしたので、悪戯によって、排液孔に棒が突っ込まれたとしても、装置内部（例えば傾斜部の内部など）の損傷を防ぐことができる。
【発明の効果】
【００２０】
本発明に係るカード処理装置によれば、ケース付きカード処理装置において、機器の利便性に配慮しつつ、ケース内に水が溜まってしまうのを防ぎ、ひいては機器の故障を防ぐことができる。
【発明を実施するための最良の形態】
【００２１】
以下、本発明を実施するための最良の形態について、図面を参照しながら説明する。
【００２２】
［機械構成］
図１は、本発明の実施の形態に係るカードリーダ１の外観構成を示す斜視図である。図２は、図１に示すカードリーダ１の側面を示す側面図である。なお、本実施形態では、カード処理装置として図１に示すカードリーダ１を採用するが、本発明は、他の種類のカードリーダにも適用可能である。
【００２３】
図１及び図２において、カードリーダ１は、上位装置のパネルの開口から露出するフロントフェイス１１及びカード挿入口１２を有するフロントベゼル１０と、カード挿入口１２から連続するカード通路２１（後述する図４参照）と、フロントベゼル１０に密着して、カード通路２１を内部に収容するケース体２０と、を有している。なお、ケース体２０は、ネジ１７によってフロントベゼル１０に取り付けられている。
【００２４】
フロントベゼル１０には、上位装置のパネル（図示せず）に当接する周縁当接面１３と、パネルの裏側（装置側）に突出した突起部に当接する固定面１４と、が形成されている。固定面１４は、フロントベゼル１０の４隅に形成されていることから、上位装置のパネルの裏側にある突起部も、４箇所にある。また、フロントフェイス１１、周縁当接面１３及び固定面１４は、上位装置のパネル（図示せず）から装置内側へ後退する段状に形成されており、このパネルを介して外部から視認することができるのは、フロントフェイス１１のみである。
【００２５】
図２に示すように、ケース体２０は、天井面２０ａ，側面２０ｂ及び底面２０ｃを有しており、このうち底面２０ｃは、カードリーダ１を上位装置に、カードが水平に挿入されるように設置したとき、傾斜が約１０°となっている。すなわち、底面２０ｃは、ケース体２０の奥側から、フロントベゼル１０に向かってカード通路２１から離れるように傾斜し、カード挿入口から浸入した液体をフロントベゼル１０へと導くことができる。このように、本実施形態では、底面２０ｃが「傾斜部」として機能する。なお、カードリーダ１は、取り付け穴１８を介して上位装置のパネルにネジ止めされる。
【００２６】
ここで、本実施形態に係るカードリーダ１では、フロントベゼル１０の前面（の下方）に、ケース体２０側に連通して液体を排出する排液孔３０が設けられている。この排液孔３０を設けたことで、雨水等がカード挿入口１２からケース体２０内に入った場合であっても、それを事後的に排出することができる。以下、図３〜図５を参照しつつ、排液孔３０を通じて液体を排出する仕組みについて詳述する。
【００２７】
図３は、本発明の実施の形態に係るカードリーダ１を正面から見たときの正面図である。図４は、図３に示すカードリーダ１において、Ａ−Ａを通るように切断したときの切断面である。図５は、図３に示すカードリーダ１において、Ｂ−Ｂを通るように切断したときの切断面である。
【００２８】
図４に示すように、上述したカード通路２１は、カード挿入口１２から連続する位置にある。また、カード通路２１の奥側には、カード通路２１を臨むように、カードに記録された情報の読み取り及び書き込みを行うカード処理部２５が設けられている。なお、このカード処理部２５は、例えば、磁気ヘッド６０とＩＣ接点５０等を有している。また、カード通路２１は、カードリーダ１が水平に設置されたとき、カード挿入口１２からカードが水平に挿入されるように設けられており、カードリーダ１を制御する制御基板２４は、このようなカード通路２１の上方に配設されている。なお、本実施形態では、カードリーダ１はケース体２０によって封止されており、そのカード通路２１の下側とケース体２０との間には、空洞が形成されている。従って、カード通路２１に浸入した水は、この空洞を通過して、ケース体２０の底面２０ｃに滴下することもある。
【００２９】
また、カード挿入口１２とカード通路２１との間には、カード通路２１を開閉するシャッタ２２が設けられている。このシャッタ２２は、シャッタ戻しバネ等によって、カード通路２１を閉じる方向へと付勢されており、カード挿入口１２から挿入されたカードがシャッタ２２へ到達すると、カードによってシャッタ２２が押し開けられるようになっている。一方、挿入されたカードが引き抜かれると、カードがシャッタ２２から抜け出たときに、シャッタ２２はシャッタ戻しバネ等によって閉じることになる。なお、本実施形態では、カード通路２１の全域に亘るフル（全面）シャッタを使用している。
【００３０】
図４及び図５に示すように、ケース体２０の底面２０ｃの先（前方先）には、リブ２０ｄが形成されており、このリブ２０ｄによって、底面２０ｃとフロントベゼル１０との間から水漏れするのを防いでいる。すなわち、フロントベゼル１０と底面２０ｃとの合わせ部は、ケース体２０側からリブ２０ｄを出してクロスさせることにより、より確実に水を排液孔３０までガイドしており、また、逆流による合わせ部からの水漏れをも防止している。また、本実施形態に係るカードリーダ１では、図５に示すように、底面２０ｃとフロントベゼル１０との合わせ面の下側に、スポンジやゴム等のシール部材（パッキン等）４０を付けており、この合わせ面からの水漏れをより確実に防いでいる。
【００３１】
排液孔３０の装置奥側において、リブ２０ｄの基端側には、カードの挿入方向とは垂直方向に板金２３が設立されている。これは、排液孔３０からの異物の進入を防ぐ進入防止部材の一例として機能している。なお、ここでは進入防止部材として金属製の板金２３を用いたが、その材質の如何は問わない。
【００３２】
［実施形態の効果］
以上説明したように、ケース体２０が取り付けられた上述のカードリーダ１によれば、ケース本体２０の底面２０ｃに傾斜がついているので、ケース体２０内に入った水を、排液孔（ドレインホール）３０を通じて外に排出することができる（排水用チューブを用いなくてもよいので、製造工程簡略化及び製造コスト低減にも貢献する）。
【００３３】
また、カードリーダ１を上位装置に取り付けるときに、カードリーダ１（ユニット）全体を斜め前方に傾けて取り付ける必要がないので、カード挿入口１２にカードを入れ難くなるなど、カード操作性の低下を防ぐことができる。
【００３４】
また、カードリーダ１には、カード通路２１を開閉するシャッタ２２が設けられていることから、このシャッタ２２が閉じているときには、カード通路２１に臨むように設けられたカード処理部２５が濡れる可能性は低い。すなわち、カード挿入口１２から浸入する水のほとんどが、このシャッタ２２の部分で止められて、ケース体２０の底面２０ｃに落ちる。そして、落ちた水は、底面２０ｃを伝ってフロントベゼル１０まで流れ、最終的には排液孔３０を通して外に排出される。このようにして、ＩＣ接点５０の故障など機器の故障をより確実に防ぐことができる。
【００３５】
また、万が一、シャッタ２２を通過して、カード通路２１にも水が浸入した場合であっても、図４及び図５に示すように、カードリーダ１を制御する制御基板２４は、カード通路２１よりも上方に配置されているので、制御基板２４が濡れる可能性は低くなり、機器の故障をより確実に防ぐことができる。
【００３６】
また、リブ２０ｄの基端側には、板金２３が設立されていることから、排液孔３０から棒が突っ込まれたとしても、この板金２３によって、その棒が底面２０ｃにまで達するのを防ぐことができ、ひいては装置内部の損傷を防ぐことができる。
【００３７】
さらに、本実施形態では、フロントベゼル１０とカードリーダ１本体との隙間、その他、水浸入の可能性がある全ての隙間の寸法よりも、排液孔３０の寸法を大きく設定しているので、ケース体２０内に浸入した水を、効果的に排液孔３０を通過して外に排出することができる。
【産業上の利用可能性】
【００３８】
本発明に係るカード処理装置は、ケース付きであったとしても、利便性の低下を防ぎつつ、ケース内に水が溜まってしまうのを防ぐことが可能なものとして有用である。
【図面の簡単な説明】
【００３９】
【図１】本発明の実施の形態に係るカードリーダの外観構成を示す斜視図である。
【図２】図１に示すカードリーダの側面を示す側面図である。
【図３】本発明の実施の形態に係るカードリーダを正面から見たときの正面図である。
【図４】図３に示すカードリーダにおいて、Ａ−Ａを通るように切断したときの切断面である。
【図５】図３に示すカードリーダにおいて、Ｂ−Ｂを通るように切断したときの切断面である。
【符号の説明】
【００４０】
１    カードリーダ
１０  ベゼル
１１  フロントフェイス
１２  カード挿入口
１３  周縁当接面
１４  固定面
１７  ネジ
１８  取り付け穴
２０  ケース体
２１  カード通路
２２  シャッタ
２３  板金
２４  制御基板
２５  カード処理部
３０  排液孔
４０  シール部材
５０  ＩＣ接点
６０  磁気ヘッド
７０  表示ＬＥＤ
【図１】
2008186085.tif 000003
【図２】
2008186085.tif 000004
【図３】
2008186085.tif 000005
【図４】
2008186085.tif 000006
【図５】
2008186085.tif 000007